(57)【要約】【課題】正イオンおよび負イオンが、発生源である電極から近いところで再結合してしまう事態をなるべく避け、正イオンおよび負イオンを遠くまで到達させることができるイオン発生装置を提供する。【解決手段】イオン発生装置１０１は、＋イオンを発生する第１電極３と、−イオンを発生する第２電極４とを含むイオン発生素子１を備え、さらに、第１電極３に対応するように配置され、回転する第１ファン５と、第１ファン５とは別に、第２電極４に対応するように配置され、回転する第２ファン６とを備える。【選択図】図３
2018113217.tif 000002
【特許請求の範囲】
【請求項１】
＋イオンを発生する第１電極と、
−イオンを発生する第２電極とを含むイオン発生素子を備え、
さらに、
前記第１電極に対応するように配置され、回転する第１ファンと、
前記第１ファンとは別に、前記第２電極に対応するように配置され、回転する第２ファンとを備える、イオン発生装置。
【請求項２】
前記第１ファンは、前記第２電極の近傍より前記第１電極の近傍に多く風を引き起こすように配置されており、前記第２ファンは、前記第１電極の近傍より前記第２電極の近傍に多く風を引き起こすように配置されている、請求項１に記載のイオン発生装置。
【請求項３】
前記第１電極は、根元および先端を有し、
前記第２電極は、根元および先端を有し、
前記第１電極の根元より前記第１電極の先端の方が、前記第１ファンの回転中心に近くなっており、前記第２電極の根元より前記第２電極の先端の方が、前記第２ファンの回転中心に近くなっている、請求項１または２に記載のイオン発生装置。
【請求項４】
前記第１ファンと前記第２ファンとは対称に配置されており、前記第１ファンと前記第２ファンとは、平行に同じ向きに送風するように構成されており、前記第１ファンと前記第２ファンとは形状が互いに鏡像反転の関係にあり、前記第１ファンと前記第２ファンとで回転方向が逆となっている、請求項１から３のいずれかに記載のイオン発生装置。
【請求項５】
前記第１ファン、前記第２ファンおよび前記イオン発生素子を内部に収容する筐体を備え、前記筐体は、前記第１電極の少なくとも一部および前記第２電極の少なくとも一部を露出させる開口部を有する、請求項１から４のいずれかに記載のイオン発生装置。
【請求項６】
外部に露出する空気取込口から取り込んだ空気に＋イオンおよび−イオンを付与するように配置された、請求項１から５のいずれかに記載のイオン発生装置と、
前記イオン発生装置から排出された空気が通過するように形成された空気流通空間と、
前記空気流通空間を経由した空気が外部へと出る空気出口とを備える、空気流通衣服。
【請求項７】
前記空気取込口から空気を取り込んで前記イオン発生装置を経由して前記空気流通空間へと送り出すように、前記第１ファンおよび前記第２ファンを正回転させる第１モードの他に、前記第１ファンおよび前記第２ファンを逆回転させることによって、前記空気流通空間から空気を取り込んで前記イオン発生装置を経由して前記空気取込口へと送り出す第２モードを有する、請求項６に記載の空気流通衣服。
【発明の詳細な説明】
【技術分野】
【０００１】
本発明は、イオン発生装置およびこれを備える空気流通衣服に関するものである。
【背景技術】
【０００２】
国際公開ＷＯ２０１５／１５１３０９Ａ１（特許文献１）に、イオン発生装置が記載されている。このイオン発生装置は、２本の放電電極を備える。２本の放電電極のうち１本は正イオン（「＋イオン」ともいう。）を発生させ、もう１本は負イオン（「−イオン」ともいう。）を発生させる。特許文献１には、イオン発生装置と、イオン発生装置で発生したイオンを送出するための送風部とを備える電気機器も記載されている。特許文献１によれば、正イオンは、水素イオンの周囲に複数の水分子がクラスター化したイオンであり、負イオンは、酸素イオンの周囲に複数の水分子がクラスター化したイオンである。正イオンと負イオンとを室内に放出すると、両イオンが空気中を浮遊するカビ菌やウイルスの周りを取り囲み、その表面上で互いに化学反応を起こす。その際に生成される活性種の水酸化ラジカルの作用により、浮遊カビ菌などが除去される。
【先行技術文献】
【特許文献】
【０００３】
【特許文献１】国際公開ＷＯ２０１５／１５１３０９Ａ１
【発明の概要】
【発明が解決しようとする課題】
【０００４】
特許文献１に記載された電気機器においては、１つのイオン発生装置に対して１つの送風装置が組み合わせられている。送風装置の風量が小さい場合には、放電電極から発生した正イオンおよび負イオンが放電電極付近で再結合してしまい、遠くまでは届かない。
【０００５】
そこで、本発明は、＋イオンおよび−イオンが、発生源である電極から近いところで再結合してしまう事態をなるべく避け、＋イオンおよび−イオンを遠くまで到達させることができるイオン発生装置およびこれを備える空気流通衣服を提供することを目的とする。
【課題を解決するための手段】
【０００６】
上記目的を達成するため、本発明に基づくイオン発生装置は、＋イオンを発生する第１電極と、−イオンを発生する第２電極とを含むイオン発生素子を備え、さらに、上記第１電極に対応するように配置され、回転する第１ファンと、上記第１ファンとは別に、上記第２電極に対応するように配置され、回転する第２ファンとを備える。
【発明の効果】
【０００７】
本発明によれば、＋イオンを発生する電極と、−イオンを発生する電極とに、それぞれ別々のファンが対応付けられて配置されているので、電極から放出された＋イオンと−イオンとを別々の風に乗せて遠くへ飛ばすことができ、したがって、＋イオンおよび−イオンが、発生源である電極から近いところで再結合してしまう事態をなるべく避け、＋イオンおよび−イオンを遠くまで到達させることができる。
【図面の簡単な説明】
【０００８】
【図１】本発明に基づく実施の形態１におけるイオン発生装置の側面図である。
【図２】本発明に基づく実施の形態１におけるイオン発生装置を図１における上側から見た図である。
【図３】本発明に基づく実施の形態１におけるイオン発生装置を図１における下側から見た図である。
【図４】第２筐体部品から取り外した第１筐体部品およびイオン発生素子の平面図である。
【図５】本発明に基づく実施の形態１におけるイオン発生装置に備わるイオン発生素子の斜視図である。
【図６】本発明に基づく実施の形態１におけるイオン発生装置に備わるイオン発生素子の平面図である。
【図７】本発明に基づく実施の形態１におけるイオン発生装置に備わるイオン発生素子の側面図である。
【図８】本発明に基づく実施の形態１におけるイオン発生装置の動作時の空気の流れを示した説明図である。
【図９】８台のイオン発生装置で比較実験を行なった結果を示す表である。
【図１０】本発明に基づく実施の形態１におけるイオン発生装置において、第１筐体部品とイオン発生素子との位置関係を示す図である。
【図１１】本発明に基づく実施の形態２におけるイオン発生装置を第２筐体部品の側から見た平面図である。
【図１２】本発明に基づく実施の形態２におけるイオン発生装置が動作している状態の説明図である。
【図１３】本発明に基づく実施の形態３におけるイオン発生装置の、第１筐体部品２１の側から見た図である。
【図１４】本発明に基づく実施の形態４におけるイオン発生装置の説明図である。
【図１５】本発明に基づく実施の形態４におけるイオン発生装置から取り外された部分の側面図である。
【図１６】本発明に基づく実施の形態５における空気流通衣服の説明図である。
【図１７】本発明に基づく実施の形態５における空気流通衣服をユーザが着用している状態の模式的断面図である。
【図１８】本発明に基づく実施の形態５における空気流通衣服がクローゼット内に保管されている様子の説明図である。
【図１９】本発明に基づく実施の形態６における空気流通衣服の説明図である。
【図２０】本発明に基づく実施の形態７におけるイオン発生装置の模式的断面図である。
【図２１】本発明に基づく実施の形態８におけるイオン発生装置の模式的断面図である。
【発明を実施するための形態】
【０００９】
（実施の形態１）
（構成）
図１〜図７を参照して、本発明に基づく実施の形態１におけるイオン発生装置について説明する。本実施の形態におけるイオン発生装置の側面図を図１に示す。イオン発生装置１０１は、筐体２０を備える。筐体２０は、たとえば樹脂製または金属製であってよい。筐体２０は、第１筐体部品２１と第２筐体部品２２とを含む。第２筐体部品２２は、外周面に空気取込口８を有する。図１ではイオン発生装置１０１の外形は長方形のように見えているが、これはあくまで一例として示したものであって、図１のように側方から見たときの外形は長方形とは限らない。たとえば側方から見たときに台形となる形状であってもよく、丸みを持たせた形状であってもよい。
【００１０】
図１における上側からイオン発生装置１０１を見たところを図２に示す。図２では、第１筐体部品２１の広い面が見えている。この面には、ロゴマークが書かれていてもよい。図１における下側からイオン発生装置１０１を見たところを図３に示す。図３に示すように、第２筐体部品２２には、ファン開口部１０ａ，１０ｂが設けられている。ファン開口部１０ａの内部に第１ファン５が配置されている。ファン開口部１０ｂの内部に第２ファン６が配置されている。第１ファン５および第２ファン６の働きにより、図３における紙面手前側に空気が吹き出す。
【００１１】
第１筐体部品２１は、第２筐体部品２２から取り外すことができる。第１筐体部品２１を第２筐体部品２２から取り外した状態を図４に示す。第１筐体部品２１の内側表面にイオン発生素子１が取り付けられている。イオン発生素子１は、公知技術により実現可能である。イオン発生素子１は、たとえば特許文献１に記載された技術に従って作製されたものであってよい。
【００１２】
イオン発生素子１を単独で取り出したところを図５に示す。図５における矢印７１の向きからイオン発生素子１を見たところを図６に示す。図５における矢印７２の向きからイオン発生素子１を見たところを図７に示す。イオン発生素子１は、素子本体２と、枠部１１とを備える。素子本体２から第１電極３および第２電極４が突出している。第１電極３および第２電極４は互いに平行である。第１電極３および第２電極４は導電体で形成されている。第１電極３および第２電極４の先端は尖っている。
【００１３】
本実施の形態では、イオン発生素子において突出する電極が針状であるものとしているが、イオン発生素子の電極は針状以外の形状であってもよい。図７などでは、電極が全体的に円錐形状であるかのように表示されているが、これは模式的に示されたものであって、このような形状とは限らない。電極は全体が円錐形状であるとは限らない。電極は、ストレート状の棒状の先端のみが尖った形状であってもよい。
【００１４】
枠部１１は、第１電極３および第２電極４の先端より高く突出している。枠部１１は、第１電極３および第２電極４を保護するためのものである。枠部１１は、あくまで一例として示したものであって、第１電極３および第２電極４を保護するための部材がこのような形状とは限らない。枠部１１は他の形状であってもよい。枠部１１の存在は必須ではない。
【００１５】
本実施の形態におけるイオン発生装置１０１は、＋イオンを発生する第１電極３と、−イオンを発生する第２電極４とを含むイオン発生素子１を備える。さらに、第１電極３に対応するように配置され、回転する第１ファン５と、第１ファン５とは別に、第２電極４に対応するように配置され、回転する第２ファン６とを備える。イオン発生素子１は、素子本体２の内部に２つの誘導電極を含む。２つの誘導電極のうち一方は、第１電極３の根元の近傍に配置され、他方は、第２電極４の根元の近傍に配置されている。
【００１６】
図３に示したように、第１ファン５および第２ファン６は、それぞれプロペラを含むものであってよい。図３では、３枚羽根のプロペラとして表示しているが、羽根の枚数および形状はここで示したものに限らない。第１ファン５および第２ファン６は、図示しない回転駆動源によって回転することができる。ここでいう回転駆動源とは、たとえばモータであってよい。
【００１７】
図３に示した電極およびファンの位置関係は、あくまで一例であって、これに限らない。たとえば第１電極３と第２電極４との位置関係は、図３に示したものとは逆であってもよい。第１電極３と第２電極４との位置関係が図３に比べて逆である場合には、第１ファン５と第２ファン６との位置関係も図３に比べて逆となる。
【００１８】
（作用・効果）
本実施の形態におけるイオン発生装置１０１では、図８に示すような空気の流れが生じる。図８は、図１における上側が右側にくるような姿勢で見たときの、内部構造およびその働きを示す説明図である。第１ファン５および第２ファン６が動作することによって、第２筐体部品２２の外周面に設けられた空気取込口８から矢印９１に示すように新たな空気が取り込まれる。図８に示すように、筐体２０の内部には空間１７が設けられており、空気取込口８から入った空気は、一旦は空間１７に入る。空間１７では、イオン発生素子１によって＋イオンおよび−イオンが放出される。図８では第１ファン５が見えているが、第１ファン５の紙面奥側に第２ファン６が配置されている。第１ファン５および第２ファン６の働きによって矢印９２に示すような空気の流れが起こる。このようにして、＋イオンおよび−イオンが付与された空気が空気出口９から筐体２０の外へと吹き出す。
【００１９】
本実施の形態におけるイオン発生装置では、＋イオンを発生する電極と、−イオンを発生する電極とに、それぞれ別々のファンが対応付けられて配置されているので、電極から放出された＋イオンと−イオンとを別々の風に乗せて遠くへ飛ばすことができる。したがって、電極から放出された直後に＋イオンと−イオンとが結合してしまうという不所望な事態をなるべく避けることができ、イオン発生装置から遠い位置の空間に対しても高濃度のイオンを供給することができる。本実施の形態によれば、＋イオンおよび−イオンが、発生源である電極から近いところで再結合してしまう事態をなるべく避け、＋イオンおよび−イオンを遠くまで到達させることができる。
【００２０】
本実施の形態で示したように、第１ファン５は、第２電極４の近傍より第１電極３の近傍に多く風を引き起こすように配置されており、第２ファン６は、第１電極３の近傍より第２電極４の近傍に多く風を引き起こすように配置されていることが好ましい。このように配置することによって、２つのファンの各々の役割をより一層明確にすることができる。なお、ファンによって引き起こされる風は、ファンの動作によってファンの下流側において生じる風だけでなく、ファンの動作によってファンの上流側において生じる風も含むものとする。
【００２１】
本実施の形態で示したように、筐体２０は、丸みを帯びた形状であることが好ましい。筐体２０は、平面的に見たときにたとえば長円形となる形状であってよい。本実施の形態で示したように、平面的に見て、第１ファン５と第２ファン６とは対称な位置に配置されていることが好ましい。
【００２２】
（実験結果）
筐体２０が長円形であって、２つのファンが並んで配置されているときに、イオン発生装置を筐体２０内のどの位置にどの向きに設置するのが最適であるかを探るために、発明者らは、実験を行なった。試料としてＮｏ．１〜８の８通りのイオン発生装置を用意し、動作させて、イオン濃度を測定した。実験結果を図９に示す。８通りのイオン発生装置のうちで最もイオン濃度が高いのはＮｏ．５であり、その次に高いのはＮｏ．１となった。
【００２３】
この結果からすると、図１０に示すような位置関係が好ましいといえる。図１０では、空気出口９の側から第１筐体部品２１を見たところを示している。第１筐体部品２１の手前側の面にイオン発生素子１が取り付けられている。イオン発生装置１０１としては、イオン発生素子１より手前に、第１ファン５および第２ファン６が配置されていることになるが、図１０では、第１ファン５および第２ファン６は二点鎖線で示されている。第１ファン５および第２ファン６に対応するファン開口部１０ａ，１０ｂも二点鎖線で示されている。第１ファン５の回転中心１３ａはファン開口部１０ａの中心とほぼ一致している。第２ファン６の回転中心１３ｂはファン開口部１０ｂの中心とほぼ一致している。
【００２４】
図１０に示す構成では、第１電極３は、根元３ａおよび先端３ｂを有し、第２電極４は、根元４ａおよび先端４ｂを有し、第１電極３の根元３ａより第１電極３の先端３ｂの方が、第１ファン５の回転中心１３ａに近くなっており、第２電極４の根元４ａより第２電極４の先端４ｂの方が、第２ファン６の回転中心１３ｂに近くなっている。図１０に示す構成は、実験の試料のうちのＮｏ．１またはＮｏ．５に近い構成である。第１電極３の先端３ｂは、ファン開口部１０ａの投影領域の内側にある。第２電極４の先端４ｂは、ファン開口部１０ｂの投影領域の内側にある。
【００２５】
（実施の形態２）
（構成）
図１１〜図１２を参照して、本発明に基づく実施の形態２におけるイオン発生装置について説明する。本実施の形態におけるイオン発生装置１０２を空気出口９の側、すなわち第２筐体部品２２の側から見たところを図１１に示す。イオン発生装置１０２が動作したときの空気の出入りを図１２に示す。
【００２６】
イオン発生装置１０２では、第１ファン５と第２ファン６とは対称に配置されている。第１ファン５と第２ファン６とは、平行に同じ向きに送風するように構成されている。第１ファン５と第２ファン６とは形状が互いに鏡像反転の関係にある。図１１に矢印９３，９４で示すように、第１ファン５と第２ファン６とで回転方向が逆となっている。他の構成については、実施の形態１で説明したものと同様である。
【００２７】
（作用・効果）
本実施の形態におけるイオン発生装置１０２では、第１ファン５および第２ファン６が動作することによって、図１２において矢印９１で示すように、空気取込口８から筐体２０内へと外気が取り込まれる。さらに図１２において矢印９２で示すように、２つの空気出口９から空気が平行に同じ向きに送り出される。イオン発生装置１０２では、第１ファン５と第２ファン６とで形状が互いに鏡像反転の関係にあり、なおかつ、第１ファン５と第２ファン６とで回転方向が逆となっているので、第１ファン５によって生成される風の流れと第２ファン６とによって生成される風の流れとが完全に対称な形状となる。したがって、イオン発生装置１０２では、左右対称にイオンを放出することができる。
【００２８】
（実施の形態３）
（構成）
図１３を参照して、本発明に基づく実施の形態３におけるイオン発生装置について説明する。本実施の形態におけるイオン発生装置１０３を、空気出口９とは反対の側、すなわち第１筐体部品２１の側から見たところを図１３に示す。
【００２９】
イオン発生装置１０３では、第１ファン５、第２ファン６およびイオン発生素子１を内部に収容する筐体２０を備え、筐体２０は、第１電極３の少なくとも一部および第２電極４の少なくとも一部を露出させる開口部７ａ，７ｂを有する。他の構成については、実施の形態１で説明したものと同様である。図１３では、開口部７ａ，７ｂはそれぞれ円形の開口部として示されているが、これはあくまで一例であって、開口部の形状は円形以外であってもよい。図１３では、第１電極３の先端３ｂおよび第２電極４の先端４ｂが露出しているが、これはあくまで一例であって、各電極の先端が開口部の投影領域内に入っていることは必須ではない。筐体の開口部を通じて各電極の清掃を行なえる程度に開口部が確保されていればよい。
【００３０】
（作用・効果）
本実施の形態におけるイオン発生装置１０３では、開口部７ａ，７ｂを通じて第１電極３の少なくとも一部および第２電極４の少なくとも一部が露出している。イオン発生装置を長く使用していると、放電電極すなわち第１電極３および第２電極４が汚れてくる場合がある。そのような場合に、イオン発生装置１０３では、筐体２０を外したり分解したりしなくても開口部７ａ，７ｂを通じて第１電極３および第２電極４を清掃することができるので、メンテナンスが容易となる。
【００３１】
（実施の形態４）
（構成）
図１４〜図１５を参照して、本発明に基づく実施の形態４におけるイオン発生装置について説明する。本実施の形態におけるイオン発生装置１０４を、空気出口９とは反対の側、すなわち第１筐体部品２１の側から見た斜視図を図１４に示す。
【００３２】
イオン発生装置１０４では、第１筐体部品２１は、第１部分１５と第２部分１６とを含む。図１４に矢印７３で示すように、第２部分１６は、第１部分１５に対して着脱自在となっている。図１４における矢印７４の向きに見たところを図１５に示す。第２部分１６の裏側にはイオン発生素子１が固定されている。
【００３３】
（作用・効果）
本実施の形態では、第２部分１６を取り外すことによって、イオン発生素子１を取り外すことができる。第２部分１６とイオン発生素子１とが一体となったものを交換することによって、イオン発生素子１の交換を容易に行なうことができる。イオン発生素子１に何らかの不具合が生じたときには、第２部分１６とイオン発生素子１とが一体となったものを新しいものに交換すればよい。あるいは、イオン発生素子１は第２部分１６に対して着脱自在となっていてもよい。この場合には、不具合が生じたイオン発生素子１を第２部分１６から取り外して新たなイオン発生素子１を第２部分１６に取り付けることとすればよい。
【００３４】
なお、「イオン発生素子１に何らかの不具合が生じたとき」とは、たとえばイオン発生素子１が破損したり故障したりした場合が想定される。経年劣化によりイオン発生素子１の性能が低下した場合も想定される。イオン発生素子１が汚損した場合も想定される。
【００３５】
本実施の形態では、筐体２０の一部が取外し可能となっていてその外せる部分にイオン発生素子が固定されている例を示したが、筐体２０がたとえば２つの部分に分割可能であって、イオン発生素子１は、２つに分割された部分によって挟み込まれることで固定されるものであってもよい。筐体が分割される数は２つに限らず３つ以上であってもよい。イオン発生素子１は、３つ以上に分割された部分によって取り囲まれることで固定されるものであってもよい。
【００３６】
（実施の形態５）
（構成）
図１６〜図１７を参照して、本発明に基づく実施の形態５における空気流通衣服について説明する。本実施の形態における空気流通衣服２０１を、ユーザ６０が着用している様子を図１６に示す。この状態の断面の模式図を図１７に示す。
【００３７】
空気流通衣服２０１は、外部に露出する空気取込口８から取り込んだ空気に＋イオンおよび−イオンを付与するように配置されたイオン発生装置１０１と、イオン発生装置１０１から排出された空気が通過するように形成された空気流通空間５３と、前記空気流通空間を経由した空気が外部へと出る空気出口５４とを備える。
【００３８】
図１６および図１７に矢印９１で示されるように空気取込口８から外部の空気がイオン発生装置１０１の内部へと取り込まれる。イオン発生装置１０１の内部で空気に＋イオンおよび−イオンが付加され、この空気は図１７に矢印９２で示されるようにイオン発生装置１０１から吹き出す。吹き出した空気は、矢印９５で示されるように空気流通空間５３内を通過する。空気流通衣服２０１は、外側部分５１と内側部分５２との二重構造となっている。空気流通空間５３は、外側部分５１と内側部分５２との間の空間として形成されたものである。図１７では、矢印９５は模式的に示されているが、実際には、空気流通空間５３内を通ることによって、空気はユーザ６０の体の後ろ側だけでなく前側も通過する。図１６に示されるように、一部の空気は、空気流通空間５３内を通ることによって、胴体部分から分岐して袖部分の内部にも進行する。この例では、ユーザ６０の襟元および袖口が空気出口５４となっている。空気流通空間５３を経由して胴体部分の上端まで移動した空気は、矢印９７に示されるように外部に放出される。空気流通空間５３を経由して袖部分の先端まで移動した空気は、矢印９８に示されるように外部に放出される。
【００３９】
（作用・効果）
本実施の形態では、空気流通衣服がイオン発生装置を備えているので、ユーザが暑い環境下で作業を行なう際には、この空気流通衣服を用いることによって、空気流通衣服の内部の空気が入れ替わるので、空気流通衣服の内部を乾燥させることができる。これにより、ユーザにとって快適な状態とすることができる。また、イオン発生装置により、空気流通空間３の内部に、イオンを含んだ空気を通すことができるので、空気流通衣服に対して脱臭効果をもたらすことができる。このようにしてイオンが十分に供給されることにより、ユーザにとっての衛生状態を向上させることができる。
【００４０】
空気流通衣服は、素材の種類によっては静電気を発生しやすい場合がある。たとえば空気流通衣服がポリエステルなどの素材で構成されている場合には、静電気を発生しやすい。作業着としての空気流通衣服は、このように静電気を発生しやすい素材で作成されている場合がある。本実施の形態では、イオン発生装置によって空気流通衣服の内部にイオンを供給することができるので、空気流通衣服の表面の静電気を抑制することができる。
【００４１】
本実施の形態における空気流通衣服２０１がクローゼット内に保管されている様子を図１８に示す。空気流通衣服２０１は、ハンガー６１によってバー６２に掛けられている。
【００４２】
空気流通衣服２０１は、空気取込口８から空気を取り込んでイオン発生装置１０１を経由して空気流通空間５３へと送り出すように、第１ファン５および第２ファン６を正回転させる第１モードの他に、第１ファン５および第２ファン６を逆回転させることによって、空気流通空間５３から空気を取り込んでイオン発生装置１０１を経由して空気取込口８へと送り出す第２モードを有することが好ましい。図１６および図１７に示された状態は第１モードに相当し、図１８に示された状態は第２モードに相当する。第２モードは、第１モードに比べて逆向きに空気を流すモードである。第２モードでは、矢印８１，８２で示されるように外部の空気が取り込まれ、イオン発生装置１０１によって空気にイオンが付加されたのちに、矢印８５で示されるように空気が外部に放出される。言い換えれば、第２モードでは、第１モードにおいて空気出口であった開口から空気が取り込まれ、第１モードにおいて空気の入口であった空気取込口８から空気が外部へと吹き出す。第２モードにおいて空気取込口８から外部に吹き出す空気は、＋イオンおよび−イオンを含んだ空気である。このように、空気流通衣服２０１が第２モードを有することとすれば、クローゼット内の空間に＋イオンおよび−イオンを供給することができる。空気流通衣服２０１は、イオン発生装置１０１を備えているので、イオン発生装置１０１から遠い位置の空間に対しても高濃度のイオンを供給することができる。こうすることによって、クローゼット内の空間の衛生状態を向上させることができる。
【００４３】
この場合、クローゼット内に保管している間ずっと第２モードで動作させ続けてもよいが、第２モードは、一定時間で自動的に動作が終了する設定、すなわちいわゆるオフタイマー機能を有することが好ましい。
【００４４】
本実施の形態で示した例では、空気流通衣服２０１はジャケットの形状を有しているが、空気流通衣服はジャケットとは限らない。空気流通衣服はつなぎの形状のものであってもよい。空気流通衣服がつなぎの形状のものである場合には、＋イオンおよび−イオンを含んだ空気を上半身だけでなく下半身にも行き渡らせることができる。
【００４５】
本実施の形態で示した例では、イオン発生装置１０１は、空気流通衣服２０１であるジャケットの背中側に取り付けられている。イオン発生装置１０１は、ユーザ６０の腰の後ろ側に相当する位置に取り付けられている。イオン発生装置を取り付ける位置はこれに限らず他の位置であってもよい。
【００４６】
空気流通衣服のうちイオン発生装置以外の部分を「衣服部分」と呼ぶこととすると、イオン発生装置は衣服部分に対して着脱自在となっていることが好ましい。たとえば空気流通衣服の衣服部分からイオン発生装置１０１を取り外すことができれば、イオン発生装置を取り外した状態で衣服部分のみをクリーニングすることができる。
【００４７】
（実施の形態６）
（構成）
図１９を参照して、本発明に基づく実施の形態６における空気流通衣服について説明する。本実施の形態における空気流通衣服２０２を図１９に示す。空気流通衣服２０２は、ジャケット２５と手袋２６とヘルメット２７とを含んでいる。ジャケット２５の背中部分にはイオン発生装置１０１が取り付けられている。ヘルメット２７は、前側に窓部２７ａを有する。図１９では、空気流通衣服２０２を背中側から見ているので、窓部２７ａは紙面奥側にあり、破線で表示されている。ジャケット２５の２ヶ所の袖口２５ｄにはそれぞれダクト２８が設けられている。ジャケット２５の襟元２５ｅには、ダクト２９が設けられている。イオン発生装置１０１からジャケット２５の内部の空気流通空間へと供給された空気の一部は、ダクト２８を経由して手袋２６の内部へと進行する。イオン発生装置１０１からジャケット２５の内部の空気流通空間へと供給された空気の他の一部は、ダクト２９を経由してヘルメット２９の内部へと進行する。
【００４８】
（作用・効果）
本実施の形態では、ジャケット２５にダクト２８，２９を設けることによって、イオン発生装置１０１から供給されたイオンを含んだ空気を、ジャケット２５に近接して配置される他の装備品の内部へも導くことができる。「他の装備品」とは、たとえば手袋２６であり、たとえばヘルメット２７である。ユーザがジャケット２５だけでなく他の装備品も着用しなければならない場合に、このような構成の空気流通衣服を用意することで、ユーザの体のうち他の装備品に覆われている部分にも＋イオンおよび−イオンを含んだ空気を安定して供給することができ、ユーザにとって快適な作業環境を提供することができる。このようにして＋イオンおよび−イオンが他の装備品の内部へも十分に供給されることにより、他の装備品の内部においてもユーザにとっての衛生状態を向上させることができる。
【００４９】
本実施の形態では、空気流通衣服２０２は、ジャケット２５の他に手袋２６とヘルメット２７とを同時に含んでいるものとしたが、これに限らない。空気流通衣服２０２は、ジャケット２５と手袋２６とを含んで、かつ、ヘルメット２７を含んでいない構成であってもよい。空気流通衣服２０２は、ジャケット２５とヘルメット２７とを含んで、かつ、手袋２６を含んでいない構成であってもよい。
【００５０】
ここでは、他の装備品として手袋およびヘルメットを例示したが、他の装備品の種類はこれに限らない。他の装備品は、手袋でもヘルメットでもない他のものであってもよい。＋イオンおよび−イオンを含んだ空気を送り込むためのダクトは、他の装備品の個数、位置に応じて適宜設けられる。
【００５１】
（実施の形態７）
（構成）
図２０を参照して、本発明に基づく実施の形態７におけるイオン発生装置について説明する。本実施の形態におけるイオン発生装置１０５の内部構造を図２０に示す。
【００５２】
実施の形態１などでは、イオン発生素子１が第１筐体部品２１の内側表面に取り付けられている例を挙げて説明したが、イオン発生素子１が取り付けられる位置はこれに限らない。図２０に示すように、イオン発生素子１が、第２筐体部品２２の第１筐体部品２１に対向する面に取り付けられていてもよい。
【００５３】
（作用・効果）
本実施の形態においても、実施の形態１と同様の効果を得ることができる。
【００５４】
（実施の形態８）
（構成）
図２１を参照して、本発明に基づく実施の形態８におけるイオン発生装置について説明する。本実施の形態におけるイオン発生装置１０６の内部構造を図２１に示す。
【００５５】
これまでの実施の形態では、イオン発生素子は、図５〜図７に示した形状を有するイオン発生素子１として説明したが、イオン発生素子の形状はこれに限らない。図２１に示すように、イオン発生素子１ｅであってもよい。イオン発生素子１ｅにおいては、素子本体２の広い面のうちの一部から広い面に垂直な方向に針状の電極が突出している。枠部１１も針状の電極と平行に突出している。このような構造のイオン発生素子１ｅであっても、図２１に示すように、適宜姿勢を選択して取り付けることとすればよい。図２１に示した例では、第１ファン５の近傍に第１電極３が配置されている。図２１に示すように、イオン発生素子１ｅは第２筐体部品２２に嵌め込むように取り付けられていてもよい。図２１では紙面奥側に隠れているので示されていないが、第２ファン６の近傍に第２電極４が配置されている。
【００５６】
（作用・効果）
本実施の形態においても、実施の形態１と同様の効果を得ることができる。イオン発生素子１ｅは、第２筐体部品２２に取り付ける代わりに第１筐体部品２１に取り付けられてもよい。
【００５７】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００５８】
１，１ｅ  イオン発生素子、２  素子本体、３  第１電極、３ａ，４ａ  根元、３ｂ，４ｂ  先端、４  第２電極、５  第１ファン、６  第２ファン、７ａ，７ｂ  開口部、８  空気取込口、９  空気出口、１０ａ，１０ｂ  ファン開口部、１１  枠部、１３ａ，１３ｂ  回転中心、１５  第１部分、１６  第２部分、１７  空間、２０  筐体、２１  第１筐体部品、２２  第２筐体部品、２５  ジャケット、２５ｄ  袖口、２５ｅ  襟元、２６  手袋、２７  ヘルメット、２７ａ  窓部、２８，２９  ダクト、５１  外側部分、５２  内側部分、５３  空気流通空間、５４  空気出口、６０  ユーザ、６１  ハンガー、６２  バー、７１，７２，７３，７４  矢印、８１，８２，８３，８４，８５  矢印、９１，９２，９３，９４，９５，９６，９７，９８  矢印、１０１，１０２，１０３，１０４，１０５，１０６  イオン発生装置、２０１，２０２  空気流通衣服。
【図１】
2018113217.tif 000003
【図２】
2018113217.tif 000004
【図３】
2018113217.tif 000005
【図４】
2018113217.tif 000006
【図５】
2018113217.tif 000007
【図６】
2018113217.tif 000008
【図７】
2018113217.tif 000009
【図８】
2018113217.tif 000010
【図９】
2018113217.tif 000011
【図１０】
2018113217.tif 000012
【図１１】
2018113217.tif 000013
【図１２】
2018113217.tif 000014
【図１３】
2018113217.tif 000015
【図１４】
2018113217.tif 000016
【図１５】
2018113217.tif 000017
【図１６】
2018113217.tif 000018
【図１７】
2018113217.tif 000019
【図１８】
2018113217.tif 000020
【図１９】
2018113217.tif 000021
【図２０】
2018113217.tif 000022
【図２１】
2018113217.tif 000023